(57)【要約】【課題】本発明は、材料の消費を削減できる基板支持用スロット棒を提供する。そのほかに、該基板支持用スロット棒を採用する基板用カセットを提供する。【解決手段】本発明は基板支持用スロット棒及び該基板支持用スロット棒を用いた基板用カセットに関する。該基板支持用スロット棒は支持用棒と金属棒で構成されていて、支持用棒が本体の１つの側に沿って、均一な間隔で複数の支持用プレートを設置する。基板カセットはガラス基板を収容でき、基板の辺部と支持プレートの突起とが接触するのみなので、摩擦によって摩耗粉などの塵埃を生じる恐れが少なくなる。かつ支持用プレートは本体の１つの側にのみ設置され、本体を囲む円形構造をしていないので、材料の消費を大いに削減でき、コストも削減できる。【選択図】図１
2004134800.tif 000002
【特許請求の範囲】
【請求項１】
　本体と本体の１つの側に設置された複数の支持用プレートとを含み、該本体に軸方向の軸孔が設けられ、該支持用プレートが前記本体から間隔をおいて平行に突出され、両方の隣接する支持用プレートの間の間隔が基板を支持するための支持用スロットになる支持棒と、
　該支持棒の支持強度を高めるために、本体の軸孔内に挿入する金属棒と、
　を備えることを特徴とする基板支持用スロット棒。
【請求項２】
　前記支持用プレートの中央部に突起が設けられ、該突起は支持用プレートから突出して、かつ基板との接続部が弧面であることを特徴とする請求項１に記載の基板支持用スロット棒。
【請求項３】
　前記突起は錐状体であり、前記本体から外へ延出するほど細くなることを特徴とする請求項２に記載の基板支持用スロット棒。
【請求項４】
　前記支持用プレートは前記本体の軸方向に垂直であることを特徴とする請求項１に記載の基板支持用スロット棒。
【請求項５】
　前記本体は軸方向の開口を開設する円筒形の構造であることを特徴とする請求項１に記載の基板支持用スロット棒。
【請求項６】
　前記本体の２つの端部に各に少なくとも１つのカードスロットが設けられることを特徴とする請求項１に記載の基板支持用スロット棒。
【請求項７】
　前記金属棒は前記本体の２つの端部から各々ある距離で延出することを特徴とする請求項１に記載の基板支持用スロット棒。
【請求項８】
　本体と本体の１つの側に設置された複数の支持用プレートとを含み、該本体に軸方向の軸孔が設けられ、該支持用プレートが前記本体から間隔をおいて平行に突出され、両方の隣接する支持用プレートの間の間隔が基板を支持するための支持用スロットになる支持棒と、
　該支持棒の支持強度を高めるために、本体の軸孔内に挿入する金属棒と、
　該基板支持用スロット棒と共に箱形を形成し、該少なくとも両対の基板支持用スロット棒の支持用プレートが相互に対応して設置されることによって、基板を収容できる空間を形成するフレームと、
　を含む基板支持用スロット棒を少なくとも両対に備えることを特徴とする基板用カセット。
【請求項９】
　前記支持用プレートの中央部に突起が設けられ、該突起は支持用プレートから突出して、かつ基板との接続部が弧面であることを特徴とする請求項８に記載の基板用カセット。
【請求項１０】
　前記突起は錐状体であり、前記本体から外へ延出するほど細くなることを特徴とする請求項８に記載の基板用カセット。
【請求項１１】
　前記支持用プレートは前記本体の軸方向に垂直であることを特徴とする請求項８に記載の基板用カセット。
【請求項１２】
　前記本体は軸方向の開口を開設する円筒形の構造であることを特徴とする請求項８に記載の基板用カセット。
【請求項１３】
　前記本体の２つの端部に各々少なくとも１つのカードスロットが設けられることを特徴とする請求項８に記載の基板用カセット。
【請求項１４】
　前記金属棒は前記本体の２つの端部から各々ある距離だけ延出することを特徴とする請求項８に記載の基板用カセット。
【請求項１５】
　該ストッパは貫通孔と、両端部に別々に設置された突出部と少なくとも１つのブロックとを含む複数のストッパを含むことを特徴とする請求項１３に記載の基板用カセット。
【請求項１６】
　前記フレームとスロット棒との接続部にグルーブが設けられ、前記ストッパが金属棒の端部を被覆して設置され、前記ストッパのブロックと本体のカードスロットとが結合して、突出部とフレームのグルーブとが結合していることを特徴とする請求項１５に記載の基板用カセット。
【請求項１７】
　前記フレームとスロット棒との接続部にグルーブが設けられることを特徴とする請求項８に記載の基板用カセット。
【請求項１８】
　前記金属棒の端部の両側にグルーブと対応する２つの平面が設けられていることを特徴とする請求項１７に記載の基板用カセット。
【発明の詳細な説明】
【技術分野】
【０００１】
　本発明は、平面ディスプレイの製造過程に用いられる基板用カセットに関し、特に基板支持に用いられるスロットプレートに関するものである。
【背景技術】
【０００２】
　平面ディスプレイの製造過程において、基板の運搬と移動には特別なカセットが必要になる。複数の基板を支持して同時に運送するための複数棚片構造が該カセットに設けられている。
【０００３】
　従来技術の特許文献１に示すように、基板用カセットに図１に示すような複数のスロット棒１０を設ける。該スロット棒１０は樹脂円棒１１と金属円棒１３を含む。該金属円棒１３は樹脂円棒１１の貫通孔１１５に挿入されて一体的にスロット棒１０を形成する。該樹脂円棒１１の中央部に複数のサークルスロット１１１を開設する。該スロット棒１０の両端部に各々カードスロット１１３とねじ穴１３１を設ける。該カードスロット１１３とねじ穴１３１を介して、スロット棒１０がフレーム（図示せず）に組立てられ、複数の基板を支持できる基板用カセットを形成する。
【０００４】
　前記基板用カセットは複数の基板を収容でき、スロット棒１０のサークルスロット１１１と基板の辺縁とが接触することを通じて、基板を支持する機能を果たす。しかし、該スロット棒１０のサークルスロット１１１が機能する時、局部だけが基板と接触して、ほかの部分は機能しない。かつ、樹脂円棒１１を製造するための材料には高温及び摩耗に耐える性能が必要である。該従来の技術に掲示した樹脂円棒１１の円形の設計は材料の無駄とコストの増加などの悪い結果をもたらす。
【特許文献１】特開平４−１３９７４１号明細書
【発明の開示】
【発明が解決しようとする課題】
【０００５】
本発明は、材料の消費を削減できる基板支持用スロット棒を提供することを目的とする。
【０００６】
本発明は、材料の消費を削減できる基板支持用スロット棒を用いた基板用カセットを提供することをほかの目的とする。
【課題を解決するための手段】
【０００７】
　前記の目的を達成するために、本発明は基板支持用スロット棒と該スロット棒を用いた基板用カセットに関する。前記基板支持用スロット棒は支持用棒と金属棒を含む。前記支持用棒は本体と本体の１つの側に設置された複数の支持用プレートを含み、前記本体に軸方向の軸孔が設けられ、前記支持用プレートが前記本体から間隔をおいて平行に突出される。両方の隣接する支持用プレートの間の間隔は基板を支持するための支持用スロットになる。前記金属棒は前記本体の軸孔に挿入される。１つのフレームと少なくとも両対の基板支持用スロット棒で箱形に形成し、基板を収容可能な基板用カセットになる。
【発明を実施するための最良の形態】
【０００８】
　図２に示すように、本発明の基板支持用スロット棒３０は支持用棒３１と金属棒３３を含む。前記支持用棒３１は本体３１９と本体３１９の１つの側に設置された複数の支持用プレート３１７を含む。前記支持用プレート３１７は本体３１９から平行して突出し、かつ該隣接する支持用プレート３１７の間に複数の支持用スロット３１１を形成する。前記本体３１９のほかの設計は断面が０形の円筒である。金属棒３３は本体３１９の軸孔３１５内に挿入されてスロット棒３０を形成する。該金属棒３３はスロット棒３０の強度を高めることができる。
【０００９】
　該支持用プレート３１７は本体３１９の１つの側にのみ設置され、本体３１９を囲む円形構造をしていないので、材料の消費を大いに削減でき、コストも削減できる。本実施例における支持用プレート３１７には、おおよそ半円形或いは舌形の構造を採用することが可能である。
【００１０】
　図３と図４を参照すると、支持用プレート３１７の中央部に突起３１８が設けられる。該突起３１８は支持用プレート３１７から突出して、かつ基板９０との接触部が弧面である。該突起３１８は錐状体であり、本体３１９から外へ延出するほど細くなり、該突起３１８が最も細くなる端部においては、支持用プレート３１７の厚さのみになる。そのほかに、該突起３１８は本体３１９から延伸するほど細くなる錐状体とすることもできる。本実施例において、支持用プレート３１７は本体３１９の軸方向に垂直である。基板９０が支持用スロット３１１に収容される時、基板９０の辺部と突起３１８とが接触するのみである。該突起３１８と基板９０との接触部の弧面デザインは、基板を挿入する抵抗力を減少できるとともに、基板９０の摩耗と擦れ傷を減少できる。
【００１１】
　図５は本発明の基板用カセット４０である。該基板用カセット４０はフレーム５０を採用することにより、少なくとも両対のスロット棒３０が対向する側面に固定され、基板を収容するための箱形を形成する。少なくとも両対の基板支持用スロット棒３０の支持用プレートは相互に対応して設置され、各対の支持用スロットで形成する空間は基板を収容できる。
【００１２】
　図６は本発明の基板用カセット４０のフレーム５０とスロット棒３０との結合見取図である。スロット棒３０の本体３１９の両端部に各に少なくとも１つのカードスロット３１３を設ける。フレーム５０とスロット棒３０との接続部にグルーブ５０１とねじ穴５０３を設ける。ストッパ７０は貫通孔７０５と、ストッパ７０の両端部に別々に設置された突出部７０３と少なくとも１つのブロック７０１とを含む。該ストッパ７０は金属棒３３の端部に被覆して設置される。該ストッパ７０のブロック７０１と本体３１９のカードスロット３１３とが結合して、突出部７０３とフレーム５０のグルーブ５０１とが結合して、ねじ（図示せず）とねじ穴５０３及び３３１との結合を介して、前記スロット棒３０がフレーム５０に固定される。かつ該ストッパ７０はフレーム５０に対するスロット棒３０の回転を回避できる。
【００１３】
　そのほかに、前記基板用カセット４０のフレーム５０とスロット棒３０は、ほかの方法で結合することもできる。例えば、金属棒３３の端部の両側にグルーブ５０１と対応する２つの平面を設けることによって、スロット棒３０とフレーム５０との結合を実現でき、かつフレーム５０に対するスロット棒３０の回転を回避できる。その上、該結合方法を採用すると、本体３１９の両端部にカードスロット３１３を設ける必要がない。
【００１４】
　本発明の基板支持用スロット棒の支持用プレートは、本体の１つの側にのみ設置され、材料の消費を大いに削減でき、コストも削減できる。かつ、基板が収容される時、基板の辺部と突起とが接触するのみなので、基板の摩耗と擦れ傷を減少でき、基板と支持用プレートとの摩擦によって摩耗粉などの塵埃を生じる恐れが少なくなる。
【００１５】
　総じて、本発明の多数の特徴及び長所など、その構造及び機能が共に前述の記載により掲げられている。また前記の説明は、本発明に基づきなしうる細部の修正或いは変更など、いずれも本発明の請求範囲に属するものとする。
【図面の簡単な説明】
【００１６】
【図１】従来技術における基板支持用スロット棒の見取図である。
【図２】本発明における基板支持用スロット棒の斜視図である。
【図３】図２の局部の拡大図である。
【図４】本発明における基板支持用スロット棒と基板とを結合する見取図である。
【図５】本発明における基板用カセットの斜視図である。
【図６】本発明における基板用カセットの基板支持用スロット棒とフレームとを結合する見取図である。
【符号の説明】
【００１７】
　３０　スロット棒
　３１　支持用棒
　３３　金属棒
　４０　基板用カセット
　５０　フレーム
　７０　ストッパ
　３１１　支持用スロット
　３１３　カードスロット
　３１５　軸孔
　３１７　支持用プレート
　３１８　突起
　３１９　本体
　３３１　ねじ穴
　５０１　グルーブ
　５０３　ねじ穴
　７０１　ブロック
　７０３　突出部
　７０５　貫通孔
【図１】
2004134800.tif 000003
【図２】
2004134800.tif 000004
【図３】
2004134800.tif 000005
【図４】
2004134800.tif 000006
【図５】
2004134800.tif 000007
【図６】
2004134800.tif 000008